【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
Ｐ（Ｔ／Ｓ）ＡＰ後期ドメインモチーフを含むレトロウイルスＧＡＧポリペプチド、ＧＡＧフラグメント、または前記レトロウイルスＧＡＧポリペプチドもしくはＧＡＧフラグメントのホモログもしくは誘導体である第２のタンパク質と相互作用するＴｓｇ１０１、Ｔｓｇ１０１フラグメント、またはそのホモログもしくは誘導体である第１のタンパク質を含む、単離されたタンパク質複合体。
【請求項２】
（ｉ）Ｔｓｇ１０１と、
（ｉｉ）Ｔｓｇ１０１  ＵＥＶドメインを含むＴｓｇ１０１フラグメントと、
（ｉｉｉ）ＨＩＶ  ＧＡＧ  ｐ６と相互作用することができ、Ｔｓｇ１０１またはＴｓｇ１０１フラグメントと少なくとも７５％同一のアミノ酸配列を有するＴｓｇ１０１もしくはＴｓｇ１０１フラグメントのホモログと、
（ｉｖ）前記Ｔｓｇ１０１タンパク質、前記Ｔｓｇ１０１フラグメント、または前記Ｔｓｇ１０１もしくは前記Ｔｓｇ１０１フラグメントのホモログを含む融合タンパク質と
からなる群から選択される第１のタンパク質と、
（１）ＨＩＶ  ＧＡＧポリペプチドと、
（２）ＨＩＶ  ＧＡＧポリペプチドフラグメントと、
（３）ＨＩＶ  ＧＡＧポリペプチドまたはＨＩＶ  ＧＡＧポリペプチドフラグメントと少なくとも７５％同一のアミノ酸配列を有するＨＩＶ  ＧＡＧポリペプチドもしくはＨＩＶ  ＧＡＧポリペプチドフラグメントのホモログと、
（４）前記ＨＩＶ  ＧＡＧポリペプチド、前記ＨＩＶ  ＧＡＧポリペプチドフラグメント、または前記ＨＩＶ  ＧＡＧポリペプチドもしくはＨＩＶ  ＧＡＧポリペプチドフラグメントのホモログを含む融合タンパク質と
からなる群から選択される第２のタンパク質と
を含む請求項１に記載の単離されたタンパク質複合体。
【請求項３】
前記第１のタンパク質および前記第２のタンパク質を得るステップと、
該第１のタンパク質に該第２のタンパク質を接触させるステップと
を含む、請求項１または２に記載のタンパク質複合体の産生方法。
【請求項４】
１つまたは複数の試験化合物の存在下で前記第１のタンパク質に前記第２のタンパク質を接触させるステップと、
前記第１のタンパク質と前記第２のタンパク質との間の相互作用を検出するステップと
を含む、請求項１または２に記載のタンパク質複合体のモジュレーターの選択方法。
【請求項５】
前記接触ステップをインビトロで行う、請求項４に記載の方法。
【請求項６】
前記接触ステップを宿主細胞内において行う、請求項４に記載の方法。
【請求項７】
請求項１または２に記載の第２のタンパク質を発現する宿主細胞であって、請求項１または２に記載の第１のタンパク質をコードする第１の核酸に作動可能に連結された第１の異種プロモーターを有する第１のキメラ発現カセットを含む宿主細胞。
【請求項８】
前記第２のタンパク質が、前記宿主細胞において、請求項１または２に記載の第２のタンパク質をコードする第２の核酸に作動可能に連結された第２の異種プロモーターを有する第２のキメラ発現カセットから発現される請求項７に記載の宿主細胞。
【請求項９】
前記タンパク質複合体の三次元構造を定義する原子座標を得るステップと、
該原子座標に基づいて、前記第１のタンパク質と前記第２のタンパク質との間の相互作用を妨害することができる化合物を設計または選択するステップと
を含む、請求項１または２に記載のタンパク質複合体中の第１のタンパク質と第２のタンパク質との間の相互作用を妨害することができる化合物を得る方法。
【請求項１０】
試験化合物に、請求項１または２に記載の第１のタンパクを接触させるステップと、
前記試験化合物が前記第１のタンパク質に結合することができるかどうかを決定するステップと
を含む、ウイルスの出芽を阻害することができる化合物の選択方法。
【請求項１１】
前記タンパク質に結合することができる試験化合物の、ＨＩＶに感染した宿主細胞からのＨＩＶウイルスの出芽を阻害する能力を試験するステップをさらに含む、請求項１０に記載の方法。
【請求項１２】
（ｉ）Ｔｓｇ１０１と、
（ｉｉ）Ｔｓｇ１０１  ＵＥＶドメインを含むＴｓｇ１０１フラグメントと、
（ｉｉｉ）Ｔｓｇ１０１またはＴｓｇ１０１フラグメントと少なくとも７５％同一のアミノ酸配列を有し、ＨＩＶ  ＧＡＧｐ６と相互作用することができるＴｓｇ１０１もしくはＴｓｇ１０１フラグメントのホモログと、
（ｉｖ）前記Ｔｓｇ１０１タンパク質、前記Ｔｓｇ１０１フラグメント、または、Ｔｓｇ１０１もしくはＴｓｇ１０１フラグメントの前記ホモログを含む融合タンパク質と
からなる群から選択されるタンパク質の三次元構造を定義する原子座標を得るステップと、
該原子座標に基づいて、前記タンパク質と相互作用することができる化合物を設計または選択するステップと
を含む、Ｔｓｇ１０１とＨＩＶ  ＧＡＧｐ６との間のタンパク質−タンパク質相互作用を阻害することができる化合物の選択方法。
【請求項１３】
（ａ）  Ｔｓｇ１０１ｍＲＮＡまたは遺伝子と特異的にハイブリッド形成する核酸、
（ｂ）  ＵＥＶドメインを含むＴｓｇ１０１フラグメント、
（ｃ）  Ｔｓｇ１０１フラグメントと少なくとも７５％同一のアミノ酸配列を有し、ＨＩＶ  ＧＡＧｐ６と相互作用することができるＴｓｇ１０１フラグメントペプチドのホモログ、
（ｄ）  （ｂ）または（ｃ）をコードする核酸、
（ｅ）  Ｔｓｇ１０１に対して免疫反応性を示す抗体
（ｆ）  （ｅ）をコードする核酸、
（ｇ）  Ｐ（Ｔ／Ｓ）ＡＰ後期ドメインモチーフを含むＨＩＶ  ＧＡＧフラグメント、
（ｈ）  ＨＩＶ  ＧＡＧフラグメントと少なくとも７５％同一のアミノ酸配列を有し、Ｔｓｇ１０１と相互作用することができるＨＩＶ  ＧＡＧフラグメントのホモログ、
（ｉ）  （ｇ）または（ｈ）をコードする核酸、
（ｊ）  ＨＩＶ  ＧＡＧと相互作用するＴｓｇ１０１を含むタンパク質複合体に対して選択的な免疫反応性を示す抗体、
（ｋ）  （ｊ）をコードする核酸
から選択される宿主細胞からのウイルス粒子の出芽を阻害する際に使用するための化合物。
【請求項１４】
（ａ）  Ｔｓｇ１０１ｍＲＮＡまたは遺伝子と特異的にハイブリッド形成する核酸、
（ｂ）  ＵＥＶドメインを含むＴｓｇ１０１フラグメント、
（ｃ）  Ｔｓｇ１０１フラグメントと少なくとも７５％同一のアミノ酸配列を有し、ＨＩＶ  ＧＡＧｐ６と相互作用することができるＴｓｇ１０１フラグメントペプチドのホモログ、
（ｄ）  （ｂ）または（ｃ）をコードする核酸、
（ｅ）  Ｔｓｇ１０１に対して免疫反応性を示す抗体
（ｆ）  （ｅ）をコードする核酸、
（ｇ）  Ｐ（Ｔ／Ｓ）ＡＰ後期ドメインモチーフを含むＨＩＶ ＧＡＧフラグメント、
（ｈ）  ＨＩＶ  ＧＡＧフラグメントと少なくとも７５％同一のアミノ酸配列を有し、Ｔｓｇ１０１と相互作用することができるＨＩＶ  ＧＡＧフラグメントのホモログ、
（ｉ）  （ｇ）または（ｈ）をコードする核酸、
（ｊ）  ＨＩＶ  ＧＡＧと相互作用するＴｓｇ１０１を含むタンパク質複合体に対して選択的な免疫反応性を示す抗体、
（ｋ）  （ｊ）をコードする核酸
からなる群から選択される化合物のウイルス感染を治療するための組成物の製造における使用。
【請求項１５】
宿主細胞中のＴｓｇ１０１及びＨＩＶ  ＧＡＧを有するタンパク質複合体の濃度を減少させるステップを含む、インビトロで宿主細胞からのウイルス粒子の出芽を阻害する方法。